(57)【要約】      （修正有）【課題】火災時にスライドプレートからロックピンが脱落するのを防止できる建具を提供する。【解決手段】枠３と、扉（障子）５を備え、障子５はスライドプレート４５と、スライドプレート４５の表面に取り付けたロックピン２７を有し、枠３にはロックピン２７が係止する受け金具２９が設けてあり、スライドプレート４５の裏面にロックピン２７の裏板５３を配置してあり、裏板５３はスライドプレート４５との当接面の輪郭が多角形を成しており、ロックピン２７の軸部がスライドプレート４５を貫通して裏板５３に固定してある。【選択図】図１
2020122386.tif 000002
【特許請求の範囲】
【請求項１】
枠と、障子を備え、障子はスライドプレートと、スライドプレートの表面に取り付けたロックピンを有し、枠にはロックピンが係止する受け金具が設けてあり、スライドプレートは障子に設けたスライド溝内をスライド自在であり、障子のスライド溝内に係止金具を取り付けてあり、スライドプレートの裏面に被係止金具を取り付けてあり、ロックピンが受け金具に係止する位置において、係止金具と被係止金具が係止することを特徴とする建具。
【発明の詳細な説明】
【技術分野】
【０００１】
本発明は、サッシやドア等の建具に関する。  
【背景技術】
【０００２】
特許文献１には、障子にスライドプレートを設け、スライドプレートの表面にロックピンを取り付けると共に、枠にはロックピンが係止する受け金具を設けた建具が開示されている。  
【先行技術文献】
【特許文献】
【０００３】
【特許文献１】特許第４７５５６２０号公報
【発明の概要】
【発明が解決しようとする課題】
【０００４】
しかし、火災時にスライドプレートのロックピン固定部が火炎や炎熱を受けて軟化し、ロックピンが脱落するおそれがあった。
【０００５】
そこで、火災時にスライドプレートからロックピンが脱落するのを防止できる建具の提供を目的とする。
【課題を解決するための手段】
【０００６】
請求項１に記載の発明は、枠と、障子を備え、障子はスライドプレートと、スライドプレートの表面に取り付けたロックピンを有し、枠にはロックピンが係止する受け金具が設けてあり、スライドプレートは障子に設けたスライド溝内をスライド自在であり、障子のスライド溝内に係止金具を取り付けてあり、スライドプレートの裏面に被係止金具を取り付けてあり、ロックピンが受け金具に係止する位置において、係止金具と被係止金具が係止することを特徴とする建具である。
【０００７】
【発明の効果】
【０００８】
請求項１に記載の発明によれば、火災時に、係止金具と被係止金具が係止してスライドプレートが障子から離脱するのを防止することで、枠に対する扉（障子）の開きを防止できる。
【０００９】
【図面の簡単な説明】
【００１０】
【図１】第１実施の形態にかかる建具であって、図３に示すＡ−Ａ断面図である。
【図２】第１実施の形態にかかる建具であって、図３に示すＢ−Ｂ断面図である。
【図３】第１実施の形態にかかる建具を室内側から見た正面図である。
【図４】図１に示す縦框とロックピンを取り付けたスライドプレートを抜き出して示す横断面図である。
【図５】部品図であって、（ａ）はロックピンの正面図、（ｂ）は裏板の正面図、（ｃ）は裏板の側面図である。
【図６】受け金具の図であり、（ａ）は正面図、（ｂ）は側面図、（ｃ）は平面図である。
【図７】第２実施の形態にかかる建具に用いられる裏板の図であって、（ａ）平面図、（ｂ）は側面図である。
【図８】第３実施の形態にかかる建具を図１と同じ位置で切断して示す断面図である。
【図９】第３実施の形態にかかる建具であって、（ａ）図８に示す縦框とロックピンを取り付けたスライドプレートを抜き出して示す横断面図であり、（ｂ）は（ａ）を室内側から見た正面図であり、（ｃ）はスライドプレートにロックピンと補強板を取り付ける前の状態を示す正面図であり、（ｄ）は補強板の側面図である。
【図１０】第４実施の形態にかかる建具を図１と同じ位置で切断して示す断面図である。
【図１１】第４実施の形態にかかる建具であって、（ａ）図１０に示す縦框と、縦框補強材と、ロックピンを取り付けたスライドプレートと、スライドプレート押えを抜き出して示す横断面図であり、（ｂ）は（ａ）をＦ方向から見た側面図である。
【図１２】第５実施の形態にかかる建具であって、（ａ）縦框と、縦框補強材と、ロックピンを取り付けたスライドプレートと、スライドプレート押えを抜き出して示す横断面図であり、（ｂ）は（ａ）をＦ方向から見た側面図である。
【図１３】第６実施の形態にかかる建具を図１と同じ位置で切断して示す断面図である。
【図１４】第６実施の形態にかかる建具であって、（ａ）縦框と、縦框補強材と、ロックピンを取り付けたスライドプレートと、離脱防止ネジを抜き出して示す横断面図であり、（ｂ）は（ａ）をＦ方向から見た側面図である。
【図１５】第７実施の形態にかかる建具を図１と同じ位置で切断して示す断面図である。
【図１６】第７実施の形態にかかる建具であって、（ａ）縦框と、縦框補強材と、ロックピンを取り付けたスライドプレートと、係止金具と被係止金具を抜き出して示す横断面図であり、（ｂ）は（ａ）に示すＣ−Ｃ断面図である。
【図１７】第７実施の形態にかかる建具における、縦框の組み立て工程を説明する図であり、（ａ）はスライドプレートを縦框に組み付ける前の状態を示す横断面図であり、（ｂ）は（ａ）に示すＥ−Ｅ断面図である。
【図１８】第８実施の形態にかかる建具であって、（ａ）縦框と、縦框補強材と、ロックピンを取り付けたスライドプレートと、係止金具と被係止金具を抜き出して示す横断面図であり、（ｂ）は（ａ）に示すＧ−Ｇ断面図である。
【図１９】第８実施の形態にかかる建具における、縦框の組み立て工程を説明する断面図であり、（ａ）は縦框に下係止金具を取り付けて、スライドプレートを縦框に組み付ける前の状態、（ｂ）はスライドプレートを仮装着した状態、（ｃ）は仮装着したスライドプレートをずらして上係止金具を取り付けた状態である。
【図２０】第７及び第８実施の形態にかかる建具における、他の組み立て工程を説明する断面図であり、（ａ）は縦框に下係止金具を取り付けて、スライドプレートを縦框に組み付ける前の状態、（ｂ）はスライドプレートに被係止金具を仮装着した状態、（ｃ）は被係止金具を固定した状態である。
【発明を実施するための形態】
【００１１】
以下に、添付図面を参照して本発明の実施の形態について説明するが、まず、図１〜図６を参照して本発明の第１実施の形態について説明する。  
図３に示すように、本実施の形態にかかる建具１は、断熱ドアであり、枠３と、扉（障子）５を備えている。  
図１及び図２に示すように、枠３は、上枠７、下枠９、吊元枠１１及び戸先枠１３を枠組みしてある。各枠７、９、１１、１３は各々中空部１５を有する樹脂材製であり、各中空部１５内には枠補強材１７が設けてある。枠補強材１７は鋼材製であるが、アルミニウム材であっても良く、金属製であれば良い。  
各枠７、９、１１、１３は、躯体１４に取り付ける躯体取付部１９を有し、躯体取付部１９は室外側見付部１９ａと見込部１９ｂを有する断面略Ｌ形状を成している。躯体取付部１９は躯体取付部補強材２１を介して躯体１４に固定してあり、躯体取付部補強材２１は、躯体取付部１９に対応して、室外側見付部２１ａと見込部２１ｂとを有し、室外側見付部２１ａは躯体１４の室外側面に当てて躯体取付部１９と共に室外側から止めるねじ２３で躯体１４に固定してある。また、躯体取付部補強材２１の見込部２１ｂは、外周側から止めるねじ２５で枠補強材１７に固定してある。躯体取付部補強材２１は鋼材製であるが、アルミニウム材であっても良く、金属製であれば良い。  
【００１２】
図１及び図３に示すように、戸先枠１３の内周側見込面には、後述するロックピン２７の受け金具２９が取り付けてある。図６に示すように、受け金具２９には、戸先枠１３に固定する固定部２９ａと、受け部２９ｂとが設けてあり、受け部２９ｂには下方を開口したＵ字形状の受け溝２９ｃが形成してあり、ロックピン２７は受け溝２９ｃを下から上方に挿入されることで、受け金具２９に係止するようになっている。図３に示すように、本実施の形態では、受け金具２９は、戸先枠１３の上下方向に略等間隔で４つ設けてある。受け金具２９は鋼材製である。  
図１に示すように、各受け金具２９は、枠補強材１７にねじ１６で固定してある。  
【００１３】
図１〜図３に示すように、扉５は、ガラス３０と、ガラス３０の四周に配置した框３２を有し、ガラス３０は網入りガラスである。框３２は、上框３１と、下框３３、吊元框３５、戸先框３７を框組みしてあり、各框３１、３３、３５、３７は、各々中空部３８を有する樹脂材製であり、中空部３８には框補強材３９が設けてある。框補強材３９は鋼材製であるが、アルミニウム材であっても良く、金属製であれば良い。  
各框３１、３３、３５、３７の内周側には各々ガラス間口補強材４１が設けてあり、各ガラス間口補強材４１はガラス周縁部を保持しており、内周側から止めるねじ４３で各框補強材３９に固定してある。  
【００１４】
戸先框３７の外周側面には、スライドプレート４５と、スライドプレート４５の表面（枠側面）に取り付けたロックピン２７が設けてある。  
スライドプレート４５及びロックピン２７は金属製であり、具体的にはスライドプレート４５はアルミニウム製であり、ロックピン２７はアルミニウムよりも融点が高い鋼材製である。  
図３に示すように、スライドプレート４５は、戸先框３７の長手方向に亘って設けてあり、上述した各受け金具２９の近傍にロックピン２７が取り付けてある。  
図１及び図４に示すように、スライドプレート４５は、戸先框３７の外周側面に戸先框の長手方向に沿って形成してあるスライド溝４９を上下方向にスライドするものであり、スライド溝４９にはその対向する室外側溝壁４９ａと室内側溝壁４９ｃのそれぞれに設けた案内突条５１が突設してある。尚、図４に抜き出して示す戸先框３７では、框補強材３９を省略して示している。  
スライドプレート４５には、プレート本体４５ａとプレート本体４５ａの裏面からスライド溝４９の溝底４９ｂ側に突設した係合脚部４５ｂ、４５ｂが設けてあり、係合脚部４５ｂがスライド溝４９の案内突条５１にスライド自在に係合してある。  
【００１５】
スライドプレート本体４５ａの裏面にはその係合脚部４５ｂ、４５ｂ間でロックピン２７の抜けを防止する裏板５３が設けてある。裏板５３は、アルミニウムよりも融点が高い鋼材製であり、図５（ｃ）に示すように、本実施の形態では平面視略正方形形状を成している。  
図３に示すように、スライドプレート４５は、扉５に設けたハンドル１２の操作に連動して上下動するようになっており、例えば、ハンドル１２に設けた歯車に歯合するラックにスライドプレートが連結してあり、ハンドル１２の回転操作によりスライドプレート４５が上下動するようにしてある。  
また、図４及び図５（ａ）に示すように、ロックピン２７は、略円柱形状を成す本体部２７ａと本体部２７ａを回転可能に軸支する軸部２７ｂと、鍔部２７ｃとを有し、軸部２７ｂはスライドプレート４５側に突設してスライドプレート本体４５ａの表面側からスライドプレート本体４５ａを貫通して裏板５３にカシメ固定してある。  
【００１６】
次に、建具１の開閉操作について説明する。  
図３に示すように、扉５が閉じ状態にあるときに、下方に下がった位置にあるハンドル１２を二点鎖線で示すように立ち上げるようにして上方に向けて回動すると、スライドプレート４５が上方に向けてスライドし、スライドプレート４５に固定してあるロックピン２７が上方に移動することで、ロックピン２７は受け金具２９の受け溝２９ｃ内に下から挿入されて受け金具２９に係止して、その位置が保持される。  
一方、ハンドル１２を二点鎖線で示す位置から実線で示すように、下方に垂下するように回動することで、スライドプレート４５が下方にスライドして、ロックピン２７が受け金具２９から外れて受け金具２９との係止が解除される。  
【００１７】
次に、本実施の形態にかかる建具１の作用効果について説明する。  
図１に示すように、扉５が閉じた状態において、ロックピン２７が受け金具２９に係止した状態にあるとき、火災時に、スライドプレート４５のロックピン固定部が火炎や炎熱を受けて軟化しても、ロックピンを固定した裏板５３が引掛かって抜け難くできるので、ロックピン２７がスライドプレート４５から脱落するのを防止できる。これにより、火災時に扉５が開くのを防止する。  
特に、裏板５３は、ロックピン２７の軸部２７ｂよりも大きな面積を有しているので、裏板５３がスライドプレート４５から外れる為には、裏板５３の面積に相当する部分が軟化することが必要であり、単にネジで止める場合よりも脱落し難い。  
更に、裏板５３はスライドプレート４５との当接面の輪郭が多角形であるから、円形の場合に比較して対角線の寸法を長くできるので、スライドプレートが軟化した場合でも裏板５３の脱落を遅らせることができる。  
【００１８】
図４に示すように、ロックピン２７は、本体部２７ａが円筒形状で回転可能としてあるから、受け金具２９に係止し易い。  
ロックピン２７は、円筒状の本体部２７ａと、鍔部２７ｃと、軸部２７ｂとで構成し、軸部２７ｂはスライドプレート４５と裏板５３を挿通して、裏板５３の裏面でカシメ固定しているので、本体部２７ａを回転可能にしながら裏板５３に固定することができる。また、軸部２７ｂの長さを所定の長さに調整するだけで、本体部２７ａを回転可能な状態にしてスライドプレート４５を貫通して裏板５３に容易に取り付けできる。  
スライドプレート４５は、係合脚部４５ｂ、４５ｂがスライド溝４９の案内突条５１に係合して戸先框３７から離脱不能に取り付けてあり、スライドプレート４５にロックピン２７が固定してあるから、図１に示すように、火炎や炎熱を受けて扉５の戸先框３７や枠３が軟化しても、ロックピン２７が受け金具２９に係止した状態において、ガラス間口補強材４１、框補強材３９、受け金具２９及び枠補強材１７が一連に連結して、ガラス間口補強材４１を保持するので、ガラス３０の脱落を防止できる。本実施の形態では、枠補強材１７には更に躯体取付部補強材２１が連結してあるので、より強固にガラス３０の脱落を防止できる。  
図５（ｃ）に示すように、裏板５３はスライドプレート４５の係合脚部４５ｂ、４５ｂ間に配置してあると共に裏板５３の輪郭を多角形形状としているので、スライドプレート４５のプレート本体４５ａの裏面で裏板５３が空回りするのを防止できる。  
【００１９】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図７に、第２実施の形態に建具１で用いる裏板５３を示している。この裏板５３は、鋼材製の長尺矩形板材であり、ロックピン２７の本体部２７ａの外径より大きくしてある。
この第２実施の形態によれば、裏板５３が第１実施の形態で用いた略正方形のものよりも長尺であるから、抜け止め面積が第１実施の形態よりも大きいので、第１実施の形態よりも離脱し難くすることができる。  
また、長尺の裏板５３であっても、スライドプレート４５の背面側に隠れているため、意匠を損なうことを防止できる。  
【００２０】
図８及び図９を参照して、本発明の第３実施の形態にかかる建具１を説明する。  
第３実施の形態では、スライドプレート４５の裏面に裏板５３を設けると共に、スライドプレート４５の表面に補強板５７を固定してあり、ロックピン２７の軸部２７ｂが補強板５７を貫通してスライドプレート４５に固定してある。  
図９に示すように、補強板５７は、ロックピン２７を固定してあるスライドプレート４５の固定部分及びその周囲を覆うものであり、アルミニウム材よりも融点の高い金属材製で、例えば鋼材製である。補強板５７はロックピン２７の本体部２７ａの外径よりも長辺が長い長方形状を成し、一端をネジ５６でスライドプレート４５に固定してあり、ロックピン２７の軸部２７ｂは補強板５７を貫通して、スライドプレート４５にカシメ固定してある。  
【００２１】
この第３実施の形態によれば、上述した第１実施の形態と同様の作用効果を奏すると共に、補強板５７が火災時にロックピン２７を固定しているスライドプレート４５のロックピン固定部を火炎や炎熱から保護し、その部分の軟化を遅らせるようにしてロックピン固定部分を補強することで、ロックピン２７の脱落を防止できる。  
【００２２】
図１０及び図１１を参照して、本発明の第４実施の形態にかかる建具１を説明する。  
第４実施の形態では、第１実施の形態において、更に、戸先框３７の外周面には、各ロックピン２７に対応する位置において、スライドプレート４５の長手方向に沿う室外側縁部４５ｃを押える押え金具５９ａが設けてあり、押え金具５９ａがスライドプレート４５の障子外周側への離脱を防止している。この第４実施の形態では、押え金具５９ａは、スライドプレート４５の室外側に設けて、スライドプレート４５の長手方向の一部で室外側縁部４５ｃのみを押えている。  
押え金具５９ａは、アルミニウム材よりも融点の高い金属材であり、例えば鋼材製であり、戸先框３７の中空部３８に設けてある框補強材３９にネジ６１で固定してある。  
【００２３】
この第４実施の形態によれば、上述した第１実施の形態と同様の作用効果を奏すると共に、スライドプレート４５の室外側縁部４５ｃを押える押え金具５９ａが火災時に扉５が室外側に開くことを効果的に抑えることができる。  
すなわち、扉（障子）５の室内側で、枠３の内周の全域に戸当たりを有している場合、火災時に扉５と枠３の係合が外れた場合でも、戸当たりの少なくとも一部が残存している場合は、扉５は室内側に開くことはできず、少なくとも室外側へ開放しようとする。そこで、扉５が室外側に開く場合、軟化した樹脂製の戸先框３７から離間しようとすると、ロックピン２７と受け金具２９は係合状態のままであるため、ロックピン２７の先端側が規制されたまま戸先框３７が室外側に移動しようとすると、スライドプレート４５の室内縁部４５ｄが回転の軸芯位置となり、スライドプレート４５の室外側が外周側に開こうとする。しかし、室外側押え金具５９ａがスライドプレート４５の室外側縁部４５ｃを押さえていることで、スライドプレート４５は回転できず、扉５の開きを効果的に抑制して、扉５の開きを防止する。  
なお、この場合スライドプレート４５の室内側は、戸先框３７のスライド溝４９内で室内側溝壁４９ｃに食い込むため、スライドプレート４５が外周側に脱落するには、室外側押え金具５９ａを乗り越えて回動するか、もしくは食い込んだ室内側溝壁４９ｃを破壊して外周側に移動する必要があり、いずれにしても室外側押え金具５９ａが存在しない場合と比較して、脱落する時間を遅らせることができる。  
【００２４】
また、室外側押え金具５９ａは、スライドプレート４５の室外側でのみ戸先框３７に固着されているため、スライドプレート４５を跨いでスライドプレート４５の両側で固着した場合と比較して、固定を容易に行うことができる。  
しかも、室外側押え金具５９ａはスライドプレート４５を跨いでおらず、スライドプレート４５の長手方向縁部の一部しか押さえていないため、部品をコンパクトにしながら、露出面積も小さくすることができ、意匠を向上することもできる。  
また、図１０に示すように、第４実施の形態では、スライドプレート４５の室外側押え金具５９ａは、ネジ６１で框補強材３９に固定してあり、ロックピン２７はスライドプレート４５に離脱不能に取り付けてあるから、ロックピン２７が受け金具２９に係止した状態において、ガラス間口補強材４１、框補強材（障子中空部補強材）３９、ネジ６１、室外側押え金具５９ａ、ロックピン２７、受け金具２９、枠補強材（枠中空部補強材）１７及び躯体取付部補強材２１が一連に連結しているので、火災時に、第１実施の形態よりも更に強固にガラス３０の脱落を防止できる。  
【００２５】
図１２を参照して、本発明の第５実施の形態にかかる建具１を説明する。  
第５実施の形態では、第４実施の形態において、更に、スライドプレート４５の長手方向に沿う室内側縁部４５ｄを押える室内側押え金具５９ｂを設けてあり、室外側押え金具５９ａと室内側押え金具５９ｂとでスライドプレート４５の障子外周側への離脱を防止している。  
また、室内側押え金具５９ｂは、スライドプレート４５の長手方向において、室外側押え金具５９ａとずれた位置に設けてある。  
【００２６】
この第５実施の形態によれば、スライドプレート４５の室外側と室内側とに各々押え金具５９ａ、５９ｂを設けて、スライドプレート４５の室外側縁部４５ｃと室内側縁部４５ｄを押えているので、上述した第４実施の形態に加えて、火災時にスライドプレート４５を更に強固に戸先框３７に押えて、障子外周側への離脱を防止できる。  
室内側押え金具５９ｂと室外側押え金具５９ａとは、スライドプレート４５の長手方向においてずれた位置に設けてあるから、スライドプレート４５を押える長さを全体的に長い範囲に亘って押えることができ、スライドプレートを強固に押えることができる。  
【００２７】
図１３及び図１４を参照して、本発明の第６実施の形態にかかる建具１を説明する。
第６実施の形態では、第１実施の形態において、更に、スライドプレート４５にはスライド方向の長孔６３が形成してあり、長孔６３にはスライドプレートの離脱防止ネジ６５が取り付けてある。  
図１４に示すように、離脱防止ネジ６５は、頭６５ａと、軸部６５ｂとを有し、軸部６５ｂが長孔６３を貫通して框補強材３９に連結してあり、頭６５ａでスライドプレート４５の表面を押えており、離脱防止ネジ６５の頭６５ａがスライドプレートを障子外周側へ離脱するのを防止している。  
第６実施の形態では、スライドプレート４５は離脱防止ネジ６５に対して、長孔６３の範囲で上下にスライド自在としてある。  
【００２８】
この第６実施の形態によれば、第１実施の形態と同様の作用効果を奏すると共に、火災時に、ロックピン２７が受け金具２９に係止する位置で、框補強材３９に連結した離脱防止ネジ６５の軸部６５ｂがスライドプレート４５のスライドを許容しつつ、離脱防止ネジ６５の頭６５ａでスライドプレート４５が障子外周側へ離脱するのを防止することで、枠３に対する扉（障子）５の開きを防止できる。  
【００２９】
図１５〜図１７を参照して、本発明の第７実施の形態にかかる建具１を説明する。  
第７実施の形態では、第１実施の形態において、戸先框３７のスライド溝４９内には係止金具６７を取り付けてあり、スライドプレート４５の裏面には被係止金具６９が取り付けてあり、図１６（ｂ）に示すように、ロックピン２７が受け金具２９に係止する位置において、スライドプレート４５と被係止金具６９の間に係止金具６７が入り込む構成としてある。  
係止金具６７と被係止金具６９とは、アルミニウム材よりも融点の高い金属材であり、例えば鋼材製である。  
係止金具６７は上部６７ａをネジ７０でスライド溝４９の溝底４９ｂに固定して框補強材３９に連結してある。係止金具６７の下部６７ｂは、スライド溝４９の溝底４９ｂから離れ且つ下方に突設する係止部が形成してある。  
一方、被係止金具６９は下部６９ａをスライドプレート４５にネジ７２で固定してあり、上部６９ｂをスライドプレート４５の裏面から離れ且つ上方に突設する被係止部が形成してある。  
そして、スライドプレート４５が下方位置から上方にスライドして、ロックピン２７が受け金具２９に係止した状態において、スライドプレート４５と被係止金具６９の被係止部６９ｂ間に係止金具６７の係止部６７ｂが入り込んでスライドプレート４５が障子外周側へ離脱するのを防止することで、枠３に対する扉（障子）５の開きを防止する。  
図１７に示すように、スライド溝４９に対するスライドプレート４５の取付けは、スライド溝４９の溝底４９ｂに係止金具６７をネジ７０で固定した後、被係止金具６９をネジ７２で固定したスライドプレート４５において、被係止金具６９を係止金具６７よりも少し下方側の位置で、外周側からスライドプレート４５を押し込んで、スライドプレートを案内突条５１に嵌め込む。  
【００３０】
この第７実施の形態によれば、第１実施の形態と同様の作用効果を奏すると共に、火災時に、ロックピン２７が受け金具２９に係止する位置で、スライドプレート４５とスライドプレート４５に取り付けた被係止金具６９の被係止部６９ｂとの間に係止金具６７の係止部６７ｂが入り込むので、スライドプレート４５が障子外周側へ脱落しようとすると、係止金具６７と被係止金具６９が係止してスライドプレート４５が障子から離脱するのを防止することで、枠３に対する扉（障子）５の開きを防止できる。  
係止金具６７と被係止金具６９は、両方ともスライドプレート４５に隠蔽されているため、意匠が損なわれることを防止できる。また、係止金具６７や被係止金具６９に手指が触れて怪我をすることも防止できる。  
【００３１】
図１８〜図１９を参照して、本発明の第８実施の形態にかかる建具１を説明する。
図１８に示すように、第８実施の形態では、第７実施の形態において、ロックピン２７と受け金具２９（図１５参照）はスライドプレート４５の上下方向の１箇所にのみ設けてあり、スライド溝４９には上係止金具６７ｃ、下係止金具６７ｄを上下方向の２箇所に設けると共に、各係止金具６７ｃ、６７ｄに対応して上被係止金具６９ｃ、下被係止金具６９ｄをスライドプレート４５の裏面に２箇所設けてある。  
第７実施の形態における係止金具６７ｃ、６７ｄと被係止金具６９ｃ、６９ｄの組み付けは、図１９（ａ）に示すように、スライド溝４９の溝底４９ｂに下係止金具６７ｄをネジ７０で取り付け、スライドプレート４５の裏面に上被係止金具６９ｃをネジ７２で固定した後、スライドプレート４５の下端をスライド溝４９の上端から挿入する。  
図１９（ｂ）に示すように、スライドプレート４５を下方にスライドして、図１９（ｃ）に示すように、下係止金具６７ｄの直上まで上被係止金具６９ｃを配置すると共にスライドプレート４５をスライド溝４９の下端から突出させた後、上被係止金具６９ｃをスライド溝４９の溝底４９ｂにネジ７０で取り付け、スライドプレート４５には下被係金具６９ｄを取り付けた後、スライドプレート４５を上方にスライドして、各被係止金具６９ｃ、６９ｄの下方に対向する係止金具６７ｃ、６７ｄを配置する。  
【００３２】
この第８実施の形態によれば、第７実施の形態と同様の作用効果を奏すると共に、上下２箇所に被係止金具６９ｃ、６９ｄを設けると共に被係止金具６９ｃに係止する係止金具６７ｃ、被係止金具６９ｄに係止する係止金具６７ｄを設けているので、上下２箇所でスライドプレート４５を係止できるから、第７実施の形態よりもスライドプレート４５が障子外周側へ離脱するのをより強固に防止し、枠３に対する扉（障子）５の開きをより強固に防止できる。  
【００３３】
図２０を参照して、第７及び第８実施の形態にかかる建具における、他の組み立て工程について説明する。  
この組み立て工程では、図２０（ａ）に示すように、戸先框３７のスライド溝４９に係止金具６７を固定し、スライドプレート４５にネジ７２を仮止めして被係止金具６９を遊動状態で仮固定した状態で、図２０（ｂ）に示すように、スライドプレート４５の下端（他端）を、スライド溝４９の上端部（一方端部）より挿入しながら下方へスライドさせることで、遊動状態の被係止金具６９が、スライド溝４９の溝底４９ｂに固定した係止金具６７を、係止方向と反対側から乗り越えて配置する。その後、図２０（ｃ）に示すように、被係止金具６９のネジ７２を本締めして固定する。  
そして、スライドプレート４５が上方にスライドすることで、係止金具６７部が被係止金具６９に係止される。  
【００３４】
この図２０に示す組み立て工程によれば、スライドプレート４５をスライド溝４９を下方に通し込んでいく時、被係止金具６９の係止部６７ｂと係止金具６７の係止部６７ｂが対向することがなく、お互いが背面同士で摺動するため、遊動状態の被係止金具６９の被係止部６９ｂが、係止金具６７の係止部６７ｂと噛み合ってしまうことを防止でき、スムーズな通し込みを行うことができ、係止金具６７と被係止金具６９との組み付つけが容易にできる。  
【００３５】
本発明は、前述した実施の形態に限定されるものではなく、その要旨を逸脱しない範囲で種々変形可能である。  
例えば、建具１は、ドアに限らず、サッシであっても良い。  
第１実施の形態、第４実施の形態〜第８実施の形態では、裏板５３は、市販の鋼材製ナットや多角形のワッシャーを用いても良い。市販のナットやワッシャー等の簡易な部品をスライドプレートの背面に配置するだけで、規格補強材として使用することができ、製造コストを抑えることができる。  
尚、裏板５３にナットやワッシャー等を用いた場合には、ナットやワッシャー等に対してロックピンをネジで締結してもよい。  
裏板５３の輪郭は、多角形状であれば、六角や八角形等のいずれでも構わないが、抜け出しを防止するためには、四角形であることが面積が大きいため好ましい。また、裏板５３としてナットを用いて、ナットに対してロックピン側からのネジを締結する場合は、四角形の方がスライドプレート４５側面への接触面積が大きく、スライドプレート４５の背面で空回りを防止する効果も期待できるため好ましい。  
裏板５３をネジ締めする場合はスライドプレート４５の表面から裏面側のナットに締結するだけでなく、逆にスライドプレート４５の背面側から、ワッシャーを挿通したネジを、ロックピン２７の軸部２７ｂに形成した雌ネジに螺合してもよい。  
第２実施の形態において、ロックピン２７の外径からはみ出した裏板５３の部分に重合するようにして、第４実施の形態にかかる押え金具５９ａを配置すれば、スライドプレート４５の表面と裏面とを鋼材同士で挟むことができるので、ロックピン２７の外れ防止と共に、スライドプレート４５の脱落を防止できるため、より好ましい。  
第３〜第８実施の形態では、裏板５３は無くても良い。  
【００３６】
第７及び第８実施の形態において、スライドプレート４５の対向する係合脚部４５ｂの長手方向一部を切除し、少なくとも被係止金具６９、６９ｃ、６９ｄの見込み寸法を拡充しても良い。これにより、少なくとも被係止金具６９、６９ｃ、６９ｄの見込み寸法を拡充させて、係止金具６７、６７ｃ、６７ｄとの係合強度を向上させることができる。  
また、被係止金具６９、６９ｃ、６９ｄがスライドプレート４５の背面に接触する面積を増大させることもできるため、軟化したスライドプレート４５から脱落したり抜け出すことも遅らせることができる。  
被係止金具６９、６９ｃ、６９ｄはスライドプレート４５に対し、鋼材製のワッシャーを介して締結しても良い。この場合、ワッシャーの大きさを適宜設定するだけで、軟化したアルミニウム製のスライドプレート４５から、被係止金具６９、６９ｃ、６９ｄが脱落するのを遅らせることができる。  
また、スライドプレート４５の係合脚部４５ｂの切除範囲を長手方向に大きくすることで、係止金具６７、６７ｃ、６７ｄと係合脚部４５ｂとの干渉を避けるようにすれば、係止金具６７、６７ｃ、６７ｄの見込み寸法を大きくすることも可能であり、この場合両方の金具の係合強度をさらに向上することができて、より好ましい。  
更にこの場合、スライドプレート４５を戸先框３７のスライド溝４９の端部からスライド挿入しようとすると、長手方向に残存した係合脚部４５ｂと係止金具６７、６７ｃ、６７ｄが干渉するため、スライドプレート４５はスライド溝４９の開口側から、弾性的に嵌合させる等の手法で装着すればよい。  
【符号の説明】
【００３７】
１    建具
３    枠
５    扉（障子）
２７  ロックピン
２７ｂ  軸部
２９  受け金具
４５  スライドプレート
５３  裏板
５７  補強板
【図１】
2020122386.tif 000003
【図２】
2020122386.tif 000004
【図３】
2020122386.tif 000005
【図４】
2020122386.tif 000006
【図５】
2020122386.tif 000007
【図６】
2020122386.tif 000008
【図７】
2020122386.tif 000009
【図８】
2020122386.tif 000010
【図９】
2020122386.tif 000011
【図１０】
2020122386.tif 000012
【図１１】
2020122386.tif 000013
【図１２】
2020122386.tif 000014
【図１３】
2020122386.tif 000015
【図１４】
2020122386.tif 000016
【図１５】
2020122386.tif 000017
【図１６】
2020122386.tif 000018
【図１７】
2020122386.tif 000019
【図１８】
2020122386.tif 000020
【図１９】
2020122386.tif 000021
【図２０】
2020122386.tif 000022
【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
枠と、障子を備え、障子はスライドプレートと、スライドプレートの表面に取り付けたロックピンを有し、枠にはロックピンが係止する受け金具が設けてあり、スライドプレートは障子に設けたスライド溝内をスライド自在であり、スライドプレートをスライド溝内に保持する金具を備え、火災時にスライドプレートの障子外周側への離脱を防止することを特徴とする建具。
【請求項２】
請求項１に記載のスライドプレートをスライド溝内で保持する金具で、スライドプレートの表面を押えてあることを特徴とする建具。
【請求項３】
請求項１に記載のスライドプレートをスライド溝内に保持する金具は、スライド溝とスライドプレートに設けてあり、係合によりスライドプレートをスライド溝内に保持する金具であることを特徴とする建具。
【手続補正２】
【補正対象書類名】明細書
【補正対象項目名】０００６
【補正方法】変更
【補正の内容】
【０００６】
請求項１に記載の発明は、枠と、障子を備え、障子はスライドプレートと、スライドプレートの表面に取り付けたロックピンを有し、枠にはロックピンが係止する受け金具が設けてあり、スライドプレートは障子に設けたスライド溝内をスライド自在であり、スライドプレートをスライド溝内に保持する金具を備え、火災時にスライドプレートの障子外周側への離脱を防止することを特徴とする建具である。
【手続補正３】
【補正対象書類名】明細書
【補正対象項目名】０００７
【補正方法】変更
【補正の内容】
【０００７】
請求項２に記載の発明は、請求項１に記載のスライドプレートをスライド溝内で保持する金具で、スライドプレートの表面を押えてあることを特徴とする建具である。
請求項３に記載の発明は、請求項１に記載のスライドプレートをスライド溝内に保持する金具は、スライド溝とスライドプレートに設けてあり、係合によりスライドプレートをスライド溝内に保持する金具であることを特徴とする建具である。
【手続補正４】
【補正対象書類名】明細書
【補正対象項目名】０００８
【補正方法】変更
【補正の内容】
【０００８】
請求項１〜３に記載の発明によれば、火災時に、スライドプレートが障子から離脱するのを防止することで、枠に対する扉（障子）の開きを防止できる。